(57)【特許請求の範囲】
【請求項１】
上辺を構成する押し出し成形材製の上框と、下辺を構成する押し出し成形材製の下框と、左右両竪辺を構成する押し出し成形材製の１対の竪框と、これら上框と下框と１対の竪框とにより四周を囲まれたパネルと、上記下框の下面に支持された戸車とを備え、この戸車は、下方が開口したケースと、このケースの内側に回転自在に支承された車とを備え、上記ケースは、互いに間隔をあけて上下方向に配置された表裏１対の支持板部と、これら両支持板部の上端縁同士を互いに連結する連結板部とを備え、この連結板部の一端部には上方に折れ曲がった折れ曲がり係止部を、同じく中間部にはこの折れ曲がり係止部に向う程上記連結板部の上面からの突出量が増す方向に傾斜した弾性係止部を、それぞれ形成しており、上記下框を構成する水平板部の一部で上記連結板部が対向する部分には、上記弾性係止部が係合自在な透孔を形成しており、上記折れ曲がり係止部と上記下框の長さ方向端縁とを当接させた状態で、この透孔と上記弾性係止部とを係合自在とした戸車付引戸障子に於いて、上記竪框を構成する竪板部の一部で上記下框の長さ方向端縁が対向する部分に、上記折れ曲がり係止部が進入自在な凹溝を形成し、この折れ曲がり係止部の存在に拘らず、上記下框の長さ方向端縁に切り欠きを形成する事なく、この長さ方向端縁と上記竪板部とを突き合わせ自在とした事を特徴とする戸車付引戸障子。
【発明の詳細な説明】
【０００１】
【発明の属する技術分野】
この発明は、一般家屋等の建造物の引き違い窓に建て込む戸車付引戸障子のうち、下框に対して戸車を簡単に装着できる構造の改良に関し、下框の加工を簡略化し、組立作業を容易にする事により、コスト低減を図るものである。
【０００２】
【従来の技術】
建造物の窓開口を開閉する為の窓障子として、引き違い窓が広く使用されている。又、この引き違い窓を開閉する為の窓障子の移動を軽い力で行なえる様にすべく、この窓障子の下辺を構成する下框の下面に戸車を装着する事も、一般的に行なわれている。更に、この戸車を下框に装着する作業を容易に（ワンタッチで）行なえる様にする為の構造も、従来から広く実施されている。
【０００３】
この為に、戸車を構成するケースに設けた連結板部の一端部に、上方に折れ曲がった折れ曲がり係止部を、同じく中間部には、この折れ曲がり係止部に向う程上記連結板部の上面からの突出量が増す方向に傾斜した弾性係止部を、それぞれ設ける。又、上記下框を構成する水平板部の一部で上記連結板部が対向する部分には、上記弾性係止部が係合自在な透孔を形成する。そして、上記折れ曲がり係止部と上記下框の長さ方向端縁とを当接させた状態で、この透孔と上記弾性係止部とを係合させる。
【０００４】
【発明が解決しようとする課題】
下框と竪框とをがたつきなく結合する為には、戸車に付属した折れ曲がり係止部の存在に拘らず、下框の長さ方向端縁と竪框を構成する竪板部の内側面とを確実に突き合わせる必要がある。この為従来は、上記下框の長さ方向端縁部に、上記折れ曲がり係止部が進入自在な切り欠きを形成していた。この為、上記下框の長さ方向端部には、戸車を装着する為に、透孔の他に切り欠きを形成する作業が必要になる。
本発明の戸車付引戸障子は、上記切り欠きを不要にし、上記下框の長さ方向端部の加工の容易化を図る事により、コスト低減を図るものである。
【０００５】
【課題を解決するための手段】
本発明の戸車付引戸障子は、従来から知られている戸車付引戸障子と同様に、上辺を構成する押し出し成形材製の上框と、下辺を構成する押し出し成形材製の下框と、左右両竪辺を構成する押し出し成形材製の１対の竪框と、これら上框と下框と１対の竪框とにより四周を囲まれたパネルと、上記下框の下面に支持された戸車とを備える。
又、この戸車は、下方が開口したケースと、このケースの内側に回転自在に支承された車とを備える。そして、上記ケースは、互いに間隔をあけて上下方向に配置された表裏１対の支持板部と、これら両支持板部の上端縁同士を互いに連結する連結板部とを備える。更に、この連結板部の一端部には上方に折れ曲がった折れ曲がり係止部を、同じく中間部にはこの折れ曲がり係止部に向う程上記連結板部の上面からの突出量が増す方向に傾斜した弾性係止部を、それぞれ形成している。
一方、上記下框を構成する水平板部の一部で上記連結板部が対向する部分には、上記弾性係止部が係合自在な透孔を形成しており、上記折れ曲がり係止部と上記下框の長さ方向端縁とを当接させた状態で、この透孔と上記弾性係止部とを係合自在としている。
【０００６】
特に、本発明の戸車付引戸障子に於いては、上記竪框を構成する竪板部の一部で上記下框の長さ方向端縁が対向する部分に、上記折れ曲がり係止部が進入自在な凹溝を形成している。そして、この折れ曲がり係止部の存在に拘らず、上記下框の長さ方向端縁に切り欠きを形成する事なく、この長さ方向端縁と上記竪板部とを突き合わせ自在としている。
【０００７】
【作用】
上述の様に構成する本発明の戸車付引戸障子の場合には、竪框を構成する竪板部の一部に形成した凹溝により、この折れ曲がり係止部の存在に拘らず、上記下框の長さ方向端縁に切り欠きを形成する事なく、この長さ方向端縁と上記竪板部とを突き合わせ自在である。従って、下框の長さ方向端縁部に切り欠きを形成する必要がなく、この下框の加工の簡略化を図れる。又、上記凹溝は、竪框を押し出し成形する際、同時に形成できる為、この凹溝を設ける事により竪框の製造が面倒になる事はない。
【０００８】
【発明の実施の形態】
図１〜４は、本発明の実施の形態の１例を示している。戸車付引戸障子は、上辺を構成する押し出し成形材製の上框（図示せず）と、下辺を構成する押し出し成形材製の下框１と、左右両竪辺を構成する押し出し成形材製の１対の竪框２、２とを備える。そして、これら上框と下框１と１対の竪框２、２とにより、矩形のガラスパネル（図示せず）の四周を囲んでいる。そして、上記下框１を構成する水平板部３の下面に、戸車４を支持している。
【０００９】
図示の例ではこの戸車４は、上記水平板部３の下面に結合支持するケース本体５と、このケース本体５に揺動自在に支持した揺動ケース６と、この揺動ケース６に回転自在に支持した車７とから成る。このうちのケース本体５は、特許請求の範囲に記載したケースに相当するもので、互いに間隔をあけて上下方向に配置された表裏１対の支持板部８、８と、これら両支持板部８、８の上端縁同士を互いに連結する連結板部１６と、これら両支持板部８、８の左右方向一端同士を互いに連結する連結竪板部１４とを備える。又、上記両支持板部８、８の下端縁で互いに整合する部分には、それぞれ略Ｕ字形の切り欠き９を形成している。又、上記両支持板部８、８の中間部でこれら各切り欠き９の上方部分には、それぞれ透孔１０を形成している。これら各透孔１０は、それぞれ上記各切り欠き９の上端部内周縁と同心の円弧形としている。
【００１０】
一方、上記車７は、上記揺動ケース６の先端部下寄り部分に、横軸１１により回転自在に支持している。又、上記揺動ケース６の基端部下寄り部分の表裏両外側面には、互いに同心の枢軸１２を、それぞれ突設している。又、上記揺動ケース６の基端寄り中間部分の表裏両外側面で上記各枢軸１２の上方部分には、それぞれ係止突部１３を形成している。上述の様な揺動ケース６は、上記ケース本体５の内側に、上記各枢軸１２を中心とする揺動自在に支持している。即ち、これら各枢軸１２を上記各切り欠き９の奥端部に挿入すると共に、上記各係止突部１３を上記各透孔１０に遊合させている。この状態で上記揺動ケース６は、これら各係止突部１３が各透孔１０の内側で変位できる範囲で、上記各枢軸１２を中心とする揺動変位自在となる。
【００１１】
又、上記連結竪板部１４の上部にはねじ孔を形成し、このねじ孔に螺合した調整ねじ１５の先端面を、上記揺動ケース６の基端部上側面に突き当てている。従って、上記車７の高さ位置は、図１に鎖線及び実線で示す様に、上記調整ねじ１５を回転させてこの調整ねじ１５の先端面位置を変え、上記揺動ケース６を上記枢軸１２を中心に揺動させる事により、調整自在である。
【００１２】
更に、前記連結板部１６の一端部で前記下框１の長さ方向端縁部に位置する部分には、上方に折れ曲がった折れ曲がり係止部１７を形成している。又、上記連結板部１６の中間部には、弾性係止部１８を形成している。この弾性係止部１８は、上記連結板部１６に形成したコ字形若しくはＵ字形の打ち抜き孔１９により三方を囲まれる部分を上方に曲げ起こしたもので、上記折れ曲がり係止部１７に向う程上記連結板部１６の上面からの突出量が増す方向に傾斜している。
【００１３】
一方、上記下框１を構成する前記水平板部３の一部で、上記連結板部１６が対向する部分には、上記弾性係止部１８が係合自在な透孔２０を形成している。この透孔２０は、上記折れ曲がり係止部１７と上記下框１の長さ方向端縁２１とを当接させた状態で、上記弾性係止部１８をがたつきなく係合させる位置に形成している。
【００１４】
上述の構成に関しては、従来から知られている戸車付引戸障子と同様である。特に、本発明の戸車付引戸障子に於いては、図２に示す様に、前記各竪框２、２を構成する竪板部２２、２２の一部で上記下框１の長さ方向端縁２１、２１が対向する部分に、それぞれ凹溝２３、２３を形成している。これら各凹溝２３、２３は、上記折れ曲がり係止部１７を進入自在とすべく、この折れ曲がり係止部１７の厚さ以上の深さと、この折れ曲がり係止部１７の幅以上の幅とを有する。
【００１５】
そして、上記各竪框２、２と前記戸車４、４を装着した下框１とを組み合わせた状態では、これら各戸車４、４の上記折れ曲がり係止部１７、１７が上記各竪框２、２の凹溝２３、２３内に進入する様にしている。従って本発明の戸車付引戸障子の場合には、上記下框１の長さ方向端縁２１、２１に切り欠きを形成しなくても、上記各折れ曲がり係止部１７、１７の存在に拘らず、上記下框１の長さ方向端縁２１、２１と上記各竪框２、２を構成する竪板部２２、２２とを密に突き合わせる事ができる。上記各凹溝２３、２３は、上記各竪框２、２を押し出し成形する際、同時に形成できる為、この凹溝２３、２３を設ける事により竪框２、２の製造が面倒になる事はない。
【００１６】
【発明の効果】
本発明の戸車付引戸障子は、以上に述べた通り構成され作用するので、下框の加工を簡略化して戸車付引戸障子のコスト低減に寄与できる。
【図面の簡単な説明】
【図１】本発明の実施の形態の１例を示す、戸車付引戸障子の下端部正面図。
【図２】図１の上方から見た図。
【図３】一部を切断して図１の側方から見た図。
【図４】戸車の１例を示しており（Ａ）は平面図、（Ｂ）は正面図、（Ｃ）は上半部を切断して（Ｂ）の右方から見た側面図。
【符号の説明】
１    下框
２    竪框
３    水平板部
４    戸車
５    ケース本体
６    揺動ケース
７    車
８    支持板部
９    切り欠き
１０    透孔
１１    横軸
１２    枢軸
１３    係止突部
１４    連結竪板部
１５    調整ねじ
１６    連結板部
１７    折れ曲がり係止部
１８    弾性係止部
１９    打ち抜き孔
２０    透孔
２１    長さ方向端縁
２２    竪板部
２３    凹溝
【図１】
0003710241.tif 000002
【図２】
0003710241.tif 000003
【図３】
0003710241.tif 000004
【図４】
0003710241.tif 000005